(57)【要約】【課題】上下二段の連結テープによりしっかりフィットした装着状態が得られるものでありながら、ウイング部分に形成される皺を軽減する。【解決手段】上記課題は、背側部分Ｂのサイドフラップ部ＳＦに取り付けられた、腹側部分Ｆと着脱可能に連結される連結テープ８０Ａ，８０Ｂを有し、この連結テープ８０Ａ，８０Ｂとして、ウイング部分ＷＰにおけるウエスト側の側部及び脚周り側の側部にそれぞれ設けられた第１連結テープ８０Ａ及び第２連結テープ８０Ｂを有し、サイドフラップ部ＳＦは、ウイング部分ＷＰの側縁における、第１連結テープ８０Ａと第２連結テープ８０Ｂの間から、幅方向ＷＤ内方に向かって続く分割ミシン目９０と、分割ミシン目９０の幅方向ＷＤの内方端に隣接する指挿入孔９８とを有している、連結式使い捨て着用物品により解決される。【選択図】図９
2020048819.tif 000002
【特許請求の範囲】
【請求項１】
前後方向中央を含む股間部と、前後方向中央より前側に延びる腹側部分と、前後方向中央より後側に延びる背側部分とを有し、
前記股間部を含む範囲に内蔵された吸収体を有し、
前記背側部分は、前記吸収体の側方に延び出たサイドフラップ部を有し、
前記背側部分のサイドフラップ部は、前記股間部よりも幅方向外側に延び出たウイング部分を有し、
前記背側部分のウイング部分に取り付けられた、前記腹側部分と着脱可能に連結される連結テープを有し、
前記連結テープは、前記ウイング部分に固定された基端部と、前記基端部から延び出た本体部と、前記本体部に設けられた、前記腹側部分に対する連結部とを有している、
連結式使い捨て着用物品において、
前記連結テープとして、前記ウイング部分におけるウエスト側の側部に設けられた第１連結テープと、前記ウイング部分における脚周り側の側部に設けられた第２連結テープとを有し、
前記サイドフラップ部は、前記ウイング部分の側縁における、前記第１連結テープと前記第２連結テープの間から、幅方向の内方に向かって続く分割ミシン目と、前記分割ミシン目の幅方向の内方端に隣接する指挿入孔とを有している、
ことを特徴とする連結式使い捨て着用物品。
【請求項２】
前記連結テープの幅方向の寸法は、前記背側部分における前記連結テープを除く部分の幅方向の寸法の１／７〜１／２倍である、
請求項１記載の連結式使い捨て着用物品。
【請求項３】
前記分割ミシン目は、幅方向中間よりも側方に位置する第１部分のタイ部の幅が、第１部分よりも幅方向内方に位置する第２部分のタイ部の幅よりも広い、
請求項１又は２記載の連結式使い捨て着用物品。
【請求項４】
前記指挿入孔における、少なくとも幅方向外方側に位置する部分の上縁及び下縁が、分割ミシン目の幅方向の内方端に向かって延びている、
請求項１〜３のいずれか１項に記載の連結式使い捨て着用物品。
【請求項５】
前記指挿入孔の前後方向の寸法は８〜１８ｍｍであり、前記指挿入孔の幅方向の寸法が８〜１８ｍｍである、
請求項１〜４のいずれか１項に記載の連結式使い捨て着用物品。
【請求項６】
前記背側部分には、幅方向に弾性伸縮する伸縮シートが少なくとも左右のサイドフラップ部にわたり取り付けられ、
前記伸縮シートは前記指挿入孔よりも側方まで延びている、
請求項１〜５のいずれか１項に記載の連結式使い捨て着用物品。
【請求項７】
前記伸縮シートは、前記指挿入孔の幅方向の内方端よりも側方に位置する領域が、幅方向に弾性伸縮しない非伸縮領域となっている、
請求項６記載の連結式使い捨て着用物品。
【請求項８】
前記吸収体の表側を覆う液透過性のトップシートと、
前記吸収体の裏側を覆い、かつ前記吸収体の側方に延び出た液不透過性シートと、
前記液不透過性シートの裏側を覆う外装不織布と、
前記サイドフラップを含む領域に固定された付根部分、この付根部分から延び出た本体部分、この本体部分の前後方向両端部が倒伏状態に固定された倒伏部分、及び前記本体部分のうち前後の倒伏部分間に位置する非固定の起き上がり部分を有するギャザーシートと、前記起き上がり部分の少なくとも先端部に固定されたギャザー弾性部材とを有する起き上がりギャザーとを備えており、
前記サイドフラップ部は、前記ギャザーシート、前記トップシート、前記液不透過性シート、及び前記外装不織布における、前記吸収体よりも側方に位置する部分により形成されており、
前記サイドフラップ部における前記分割ミシン目を有する領域は、前記ギャザーシート及び前記外装不織布の二層構造となっている、
請求項１〜５のいずれか１項に記載の連結式使い捨て着用物品。
【発明の詳細な説明】
【技術分野】
【０００１】
本発明は、テープタイプ使い捨ておむつ等と呼ばれる連結式使い捨て着用物品に関するものである。
【背景技術】
【０００２】
一般的な連結式使い捨て着用物品は、前後方向中央を含む股間部と、前後方向中央より前側に延びる腹側部分と、前後方向中央より後側に延びる背側部分を有し、少なくとも背側部分は、股間部よりも幅方向左右両側に延び出たウイング部分を有している。また、ウイング部分には、腹側部分の外面に着脱可能に連結される連結部を有する連結テープ（連結タブ）が取り付けられている。使用時には、ウイング部分を腰の両側から腹側部分の外面に回して、連結テープの連結部を腹側部分の外面に連結する。このような連結式使い捨て着用物品は、乳幼児向けとして用いられる他、介護用途（成人用途）でも使用されている（例えば特許文献１参照）。
【０００３】
従来、連結テープとしては、ウイング部分に固定された基端部と、基端部から延び出た本体部と、本体部の幅方向中間に設けられた、腹側部分と着脱可能に連結される連結部と、この連結部と基端部との間に設けられた、腹側部分と連結されない非連結部とを有するものが一般的である。
【０００４】
このような連結式使い捨て着用物品は、乳幼児向けとして用いられる他、介護用途（成人用途）で広く使用されているが、ウエスト周り及び脚周りが緩みやすいという問題点を有している。
【０００５】
そして、この問題を解決するものとして、連結テープをミシン目により上下二段に分割可能とした連結式使い捨て着用物品も提案されている（例えば特許文献１参照）。この連結式使い捨て着用物品は、ウエスト側の第１連結テープを斜め下向きに引っ張りつつ連結することによりウエスト周りをしっかりと締め付けるとともに、脚周り側の第２連結テープを斜め上向きに引っ張りつつ連結することにより脚周りをしっかりと締め付けることができるものであり、フィット性に優れた装着状態が得られるものである。
【０００６】
しかしながら、特許文献１記載のものは、上下二段に分割される部分は連結テープに限られるため、ウエスト側の第１連結テープを斜め下向きに、及び脚周り側の第２連結テープを斜め上向きにそれぞれ連結すると、ウイング部分に大きな皺が寄り、見栄えが悪くなる。
【０００７】
また、特許文献１記載のものは、上下二段に分割される部分が連結テープに限られるため、その利点を生かそうとする場合、連結テープの幅方向の寸法をある程度長く確保する必要がある。しかし、連結テープは、十分な強度を確保するため及び製造時の切断を容易にするために、比較的に硬質の素材が使用されるため、連結テープの幅方向の寸法が長くなると、連結テープの硬さが装着感に与える影響が大きい、という問題点も有している。
【先行技術文献】
【特許文献】
【０００８】
【特許文献１】特開２００５−１６０５０６号公報
【発明の概要】
【発明が解決しようとする課題】
【０００９】
そこで、本発明の主たる課題は、上下二段の連結テープによりしっかりフィットした装着状態が得られるものでありながら、ウイング部分に形成される皺を軽減した、連結式使い捨て着用物品を提供すること等にある。
【課題を解決するための手段】
【００１０】
上記課題を解決した連結式使い捨て着用物品は以下のとおりである。
＜第１の態様＞
前後方向中央を含む股間部と、前後方向中央より前側に延びる腹側部分と、前後方向中央より後側に延びる背側部分とを有し、
前記股間部を含む範囲に内蔵された吸収体を有し、
前記背側部分は、前記吸収体の側方に延び出たサイドフラップ部を有し、
前記背側部分のサイドフラップ部は、前記股間部よりも幅方向外側に延び出たウイング部分を有し、
前記背側部分のウイング部分に取り付けられた、前記腹側部分と着脱可能に連結される連結テープを有し、
前記連結テープは、前記ウイング部分に固定された基端部と、前記基端部から延び出た本体部と、前記本体部に設けられた、前記腹側部分に対する連結部とを有している、
連結式使い捨て着用物品において、
前記連結テープとして、前記ウイング部分におけるウエスト側の側部に設けられた第１連結テープと、前記ウイング部分における脚周り側の側部に設けられた第２連結テープとを有し、
前記サイドフラップ部は、前記ウイング部分の側縁における、前記第１連結テープと前記第２連結テープの間から、幅方向の内方に向かって続く分割ミシン目と、前記分割ミシン目の幅方向の内方端に隣接する指挿入孔とを有している、
ことを特徴とする連結式使い捨て着用物品。
【００１１】
（作用効果）
本連結式使い捨て着用物品では、指挿入孔に指を挿入しその指を分割ミシン目側に移動させる、又はその指で分割ミシン目の脇を摘まんで、分割ミシン目を幅方向の内方から外方に向けて順に切り離すことにより、ウイング部分の少なくとも一部を上下二段に分割することができる。そして、ウエスト側の第１連結テープを有する上段部分を斜め下向きに引っ張りつつ連結することによりウエスト周りをしっかりと締め付けるとともに、脚周り側の第２連結テープを有する下段部分を斜め上向きに引っ張りつつ連結することにより脚周りをしっかりと締め付けることができる。特に、従来は分割されないウイング部分が二段に分割されて、それぞれウエスト周り及び脚周りに合わせて独立的にフィットさせることができるため、従来のものよりも、しっかりフィットした装着状態が得られるものである。
【００１２】
そして、本連結式使い捨て着用物品は、サイドフラップ部に分割ミシン目を設けて上下二段に分割するものであるため、ウエスト側の第１連結テープを斜め下向きに、及び脚周り側の第２連結テープを斜め上向きにそれぞれ連結したとしても、ウイング部分に大きな皺が寄りにくく、見栄えが悪くなりにくいものである。
【００１３】
また、サイドフラップ部に分割ミシン目を設け、この分割ミシン目を側縁側から切り離して上下二段に分割すると、分割ミシン目を内方端まで引き裂いたときに、分割ミシン目の内方端よりもさらに内方の部分までサイドフラップ部を引き裂いてしまうおそれがある（以下、引き裂き過ぎともいう）。これに対して、上記のように指挿入孔に指を挿入して、幅方向の内方から外方に分割ミシン目を切り離すと、引き裂き過ぎが発生することもない。さらに、指挿入孔は目立つ部分であるため、スリットのように指を挿入する箇所を迷ったり、指を入れにくくなったりするおそれが少ない利点も有する。
【００１４】
なお、用語「指挿入孔」とは、対象部分の打ち抜きにより形成されるものであり、展開状態で前後方向の寸法及び幅方向の寸法の両方有し、面積を有するものである。
【００１５】
＜第２の態様＞
前記連結テープの幅方向の寸法は、前記背側部分における前記連結テープを除く部分の幅方向の寸法の１／７〜１／２倍である、
第１の態様の連結式使い捨て着用物品。
【００１６】
（作用効果）
本連結式使い捨て着用物品では、サイドフラップ部を上下二段に分割するため、連結テープの幅方向の寸法を短く抑えることができる。よって、本連結式使い捨て着用物品では、上下二段の連結テープによりしっかりフィットした装着状態が得られるものでありながら、連結テープの硬さが装着感に与える影響を小さくすることができる。
【００１７】
＜第３の態様＞
前記分割ミシン目は、幅方向中間よりも側方に位置する第１部分のタイ部の幅が、第１部分よりも幅方向内方に位置する第２部分のタイ部の幅よりも広い、
第１又は２の態様の連結式使い捨て着用物品。
【００１８】
（作用効果）
本態様のように、分割ミシン目の引き裂き始めからある程度までの第２部分では引き裂きやすく、その後の第１部分では分割ミシン目を引き裂きにくくすると、分割ミシン目の切り離しを開始しやすくなるため、ウイング部分を上下二段に分割しやすいものとなる。また、分割ミシン目は切り離さずに使用することもでき、その場合に、意図せずに分割ミシン目が切り離される事態が発生しにくいものとなる。
【００１９】
＜第４の態様＞
前記指挿入孔における、少なくとも幅方向外方側に位置する部分の上縁及び下縁が、分割ミシン目の幅方向の内方端に向かって延びている、
第１〜３のいずれか１つの態様の連結式使い捨て着用物品。
【００２０】
（作用効果）
指挿入孔がこのような形状を有していると、分割ミシン目へと向かう指の移動方向が分かりやすいため好ましい。また、分割ミシン目へと向かう指の移動に伴い、徐々に上縁及び下縁を押し広げ、分割ミシン目を引き裂く力が加わるため、分割ミシン目の引き裂き開始も円滑となる。
【００２１】
＜第５の態様＞
前記指挿入孔の前後方向の寸法は８〜１８ｍｍであり、前記指挿入孔の幅方向の寸法が８〜１８ｍｍである、
第１〜４のいずれか１つの態様の連結式使い捨て着用物品。
【００２２】
（作用効果）
指挿入孔の寸法は適宜定めることができるが、上記範囲内であると、人差し指を挿入しやすく、かつ分割ミシン目を引き裂いた後に、指挿入孔の跡が大きくならないため好ましい。
【００２３】
＜第６の態様＞
前記背側部分には、幅方向に弾性伸縮する伸縮シートが少なくとも左右のサイドフラップ部にわたり取り付けられ、
前記伸縮シートは前記指挿入孔よりも側方まで延びている、
第１〜５のいずれか１つの態様の連結式使い捨て着用物品。
【００２４】
（作用効果）
指挿入孔を有すると、分割ミシン目を切り離して使用する際に、指挿入孔の縁から分割ミシン目に至る部分に形成される角部がひらひらと動いて、外観や装着感を悪化させるおそれがある。これに対して、上記のように伸縮シートを指挿入孔よりも側方まで伸ばし、指挿入孔を含む領域の剛性を高くすると、分割ミシン目の切離し後に、指挿入孔の縁から分割ミシン目に至る部分に形成される角部がひらひらと動きにくくなるため好ましい。
なお、テープタイプ使い捨ておむつの背側部分に、上記のような伸縮シートを取付け、ウエスト周りのフィット性を向上させることは知られているため、上記のように伸縮シートを延ばすことは、伸縮シートの有効利用という点でも好ましいものである。
【００２５】
＜第７の態様＞
前記伸縮シートは、前記指挿入孔の幅方向の内方端よりも側方に位置する領域が、幅方向に弾性伸縮しない非伸縮領域となっている、
第６の態様の連結式使い捨て着用物品。
【００２６】
（作用効果）
このように伸縮シートの両側部に非伸縮領域を設けると、伸縮シートの収縮に伴い指挿入孔の縁が収縮して見栄えが悪化する事態を防止することができる。
【００２７】
＜第８の態様＞
前記吸収体の表側を覆う液透過性のトップシートと、
前記吸収体の裏側を覆い、かつ前記吸収体の側方に延び出た液不透過性シートと、
前記液不透過性シートの裏側を覆う外装不織布と、
前記サイドフラップを含む領域に固定された付根部分、この付根部分から延び出た本体部分、この本体部分の前後方向両端部が倒伏状態に固定された倒伏部分、及び前記本体部分のうち前後の倒伏部分間に位置する非固定の起き上がり部分を有するギャザーシートと、前記起き上がり部分の少なくとも先端部に固定されたギャザー弾性部材とを有する起き上がりギャザーとを備えており、
前記サイドフラップ部は、前記ギャザーシート、前記トップシート、前記液不透過性シート、及び前記外装不織布における、前記吸収体よりも側方に位置する部分により形成されており、
前記サイドフラップ部における前記分割ミシン目を有する領域は、前記ギャザーシート及び前記外装不織布の二層構造となっている、
第１〜５のいずれか１つの態様の連結式使い捨て着用物品。
【００２８】
（作用効果）
連結式使い捨て着用物品では、トップシート及び液不透過性シートの使用量を抑えるために、サイドフラップ部の側縁までは延びておらず、サイドフラップ部は幅方向の中間より外側ではギャザーシート及び外装不織布の二層構造となっていることが多い。よって、このような薄く弱いサイドフラップ部の構造を利用し、分割ミシン目を二層構造部分に設けると、分割ミシン目を引き裂きやすくなるため好ましい。特に、薄く弱いサイドフラップ部の構造において、分割ミシン目を側縁側から切り離して上下二段に分割する従来方式を採用すると、分割ミシン目の引き裂き過ぎが発生するおそれが高くなるが、本連結式使い捨て着用物品では指挿入孔を有するため、引き裂き過ぎのおそれはない。
【発明の効果】
【００２９】
本発明によれば、上下二段の連結テープによりしっかりフィットした装着状態が得られるものでありながら、ウイング部分に形成される皺が軽減される、連結式使い捨て着用物品となる。
【図面の簡単な説明】
【００３０】
【図１】展開状態の連結式使い捨て着用物品の内面を示す、平面図である。
【図２】展開状態の連結式使い捨て着用物品の外面を示す、平面図である。
【図３】図１の６−６線断面図である。
【図４】図１の７−７線断面図である。
【図５】（ａ）図１の８−８線断面図、及び（ｂ）図１の９−９線断面図である。
【図６】図１の５−５線断面図である。
【図７】伸縮シートの（ａ）平面図、及び（ｂ）断面図である。
【図８】装着状態を示す斜視図である。
【図９】展開状態のウイング部分を示す、拡大平面図である。
【図１０】展開状態のウイング部分を示す、拡大平面図である。
【図１１】展開状態のウイング部分を示す、拡大平面図である。
【図１２】展開状態のウイング部分を示す、拡大平面図である。
【発明を実施するための形態】
【００３１】
図１〜図６は連結式使い捨て着用物品の一例を示しており、図中の符号Ｘは連結テープを除いたおむつの全幅を示しており、符号Ｌはおむつの全長を示しており、断面図における点模様部分はその表側及び裏側に位置する各構成部材を接合する接合手段としてのホットメルト接着剤を示している。ホットメルト接着剤は、スロット塗布、連続線状又は点線状のビード塗布、スパイラル状、Ｚ状等のスプレー塗布、又はパターンコート（凸版方式でのホットメルト接着剤の転写）等、公知の手法により塗布することができる。これに代えて又はこれとともに、弾性部材の固定部分では、ホットメルト接着剤を弾性部材の外周面に塗布し、弾性部材を隣接部材に固定することができる。ホットメルト接着剤としては、例えばＥＶＡ系、粘着ゴム系（エラストマー系）、オレフィン系、ポリエステル・ポリアミド系などの種類のものが存在するが、特に限定無く使用できる。各構成部材を接合する接合手段としてはヒートシールや超音波シール等の素材溶着による手段を用いることもできる。
【００３２】
この連結式使い捨て着用物品は、前後方向ＬＤの中央を含む股間部Ｍと、前後方向ＬＤの中央より前側に延びる腹側部分Ｆと、前後方向ＬＤの中央より後側に延びる背側部分Ｂとを有している。また、この連結式使い捨て着用物品は、股間部Ｍを含む範囲に内蔵された吸収体５６と、吸収体５６の表側を覆う液透過性のトップシート３０と、吸収体５６の裏側を覆う液不透過性シート１１と、液不透過性シートの裏側を覆い、製品外面を構成する外装不織布１２とを有するものである。
【００３３】
以下、各部の素材及び特徴部分について順に説明する。
（吸収体）
吸収体５６は、排泄液を吸収し、保持する部分であり、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、２．５４ｃｍ当たり５〜７５個、好ましくは１０〜５０個、さらに好ましくは１５〜５０個程度とすることができる。また、均一に捲縮した捲縮繊維を用いることができる。
【００３４】
（高吸収性ポリマー粒子）
吸収体５６には、その一部又は全部に高吸収性ポリマー粒子を含有させることができる。高吸収性ポリマー粒子とは、「粒子」以外に「粉体」も含む。高吸収性ポリマー粒子としては、この種の吸収性物品に使用されるものをそのまま使用できる。高吸収性ポリマー粒子の粒径は特に限定されないが、例えば５００μｍの標準ふるい（ＪＩＳ Ｚ８８０１−１：２００６）を用いたふるい分け（５分間の振とう）、及びこのふるい分けでふるい下に落下する粒子について１８０μｍの標準ふるい（ＪＩＳ Ｚ８８０１−１：２００６）を用いたふるい分け（５分間の振とう）を行ったときに、５００μｍの標準ふるい上に残る粒子の割合が３０重量％以下で、１８０μｍの標準ふるい上に残る粒子の割合が６０重量％以上のものが望ましい。
【００３５】
高吸収性ポリマー粒子の材料としては、特に限定無く用いることができるが、吸水量が４０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。
【００３６】
高吸収性ポリマー粒子としては、吸水速度が７０秒以下、特に４０秒以下のものが好適に用いられる。吸水速度が遅すぎると、吸収体５６内に供給された液が吸収体５６外に戻り出てしまう所謂逆戻りを発生し易くなる。
【００３７】
また、高吸収性ポリマー粒子としては、ゲル強度が１０００Ｐａ以上のものが好適に用いられる。これにより、嵩高な吸収体５６とした場合であっても、液吸収後のべとつき感を効果的に抑制できる。
【００３８】
高吸収性ポリマー粒子の目付け量は、当該吸収体５６の用途で要求される吸収量に応じて適宜定めることができる。したがって一概には言えないが、通常の場合、５０〜３５０ｇ／ｍ2とすることができる。
【００３９】
（包装シート）
高吸収性ポリマー粒子の抜け出しを防止するため、あるいは吸収体５６の形状維持性を高めるために、吸収体５６は包装シート５８で包んでなる吸収要素５０として内蔵させることができる。包装シート５８としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＭＳ（スパンボンド／メルトブローン／メルトブローン／スパンボンド）不織布が特に好適であり、その材質はポリプロピレン、ポリエチレン／ポリプロピレンなどを使用できる。繊維目付けは、５〜４０ｇ／ｍ2、特に１０〜３０ｇ／ｍ2のものが望ましい。
【００４０】
この包装シート５８は、図３に示すように、一枚で吸収体５６の全体を包む構造とするほか、上下２枚等の複数枚のシートで吸収体５６の全体を包むようにしてもよい包装シート５８は省略することもできる。
【００４１】
（トップシート）
トップシート３０は液透過性を有するものであり、例えば、有孔又は無孔の不織布や、多孔性プラスチックシートなどを用いることができる。
【００４２】
トップシート３０は、前後方向では製品前端から後端まで延び、幅方向ＷＤでは吸収体５６よりも側方に延びているが、例えば後述する起き上がりギャザー６０の起点が吸収体５６の側縁よりも幅方向中央側に位置する場合等、必要に応じて、トップシート３０の幅を吸収体５６の全幅より短くする等、適宜の変形が可能である。
【００４３】
（中間シート）
トップシート３０を透過した液の逆戻りを防止するために、トップシート３０の裏側に中間シート（「セカンドシート」とも呼ばれている）４０を設けることができる。中間シート４０は省略することもできる。
【００４４】
中間シート４０としては、各種の不織布を好適に用いることができ、特に嵩高なエアスルー不織布を好適に用いることができる。エアスルー不織布には芯鞘構造の複合繊維を用いるのが好ましく、この場合芯に用いる樹脂はポリプロピレン（ＰＰ）でも良いが剛性の高いポリエステル（ＰＥＴ）が好ましい。目付けは１７〜８０ｇ／ｍ2が好ましく、２５〜６０ｇ／ｍ2がより好ましい。不織布の原料繊維の太さは２．０〜１０ｄｔｅｘであるのが好ましい。不織布を嵩高にするために、原料繊維の全部又は一部の混合繊維として、芯が中央にない偏芯の繊維や中空の繊維、偏芯かつ中空の繊維を用いるのも好ましい。
【００４５】
図示例の中間シート４０は、吸収体５６の幅より短く中央に配置されているが、全幅にわたって設けてもよい。また、中間シート４０は、おむつの全長にわたり設けてもよいが、図示例のように排泄位置を含む中間部分にのみ設けてもよい。
【００４６】
（液不透過性シート）
液不透過性シート１１は、特に限定されるものではないが、透湿性を有するもが好ましい。液不透過性シート１１としては、例えば、ポリエチレンやポリプロピレン等のオレフィン系樹脂中に無機充填剤を混練して、シートを成形した後、一軸又は二軸方向に延伸して得られた微多孔性シートを好適に用いることができる。また、液不透過性シート１１としては、不織布を基材として防水性を高めたものも用いることができる。
【００４７】
液不透過性シート１１は、前後方向ＬＤ及び幅方向ＷＤにおいて吸収体５６と同じか又はより広範囲にわたり延びていることが望ましいが、他の遮水手段が存在する場合等、必要に応じて、前後方向ＬＤ及び幅方向ＷＤにおいて吸収体５６の端部を覆わない構造とすることもできる。
【００４８】
（外装不織布）
外装不織布１２は液不透過性シート１１の裏側全体を覆い、製品外面を布のような外観とするものである。不織布は一枚で使用する他、複数枚重ねて使用することもできる。後者の場合、不織布相互をホットメルト接着剤等により接着するのが好ましい。不織布を用いる場合、その構成繊維の繊度が１．０〜３．５ｄｔｅｘ、目付けが１０〜５０ｇ／ｍ2、かつ厚みが１ｍｍ以下の不織布であると好ましい。
【００４９】
（起き上がりギャザー）
トップシート３０上を伝わって横方向に移動する排泄物を阻止し、いわゆる横漏れを防止するために、表面の幅方向ＷＤの両側には、装着者の肌側に立ち上がる起き上がりギャザー６０が設けられていると好ましい。もちろん、起き上がりギャザー６０は省略することもできる。
【００５０】
起き上がりギャザー６０を採用する場合、その構造は特に限定されず、公知のあらゆる構造を採用できる。図示例の起き上がりギャザー６０は、サイドフラップを含む領域に固定された付根部分６５、この付根部分から延び出た本体部分６６、この本体部分６６の前後方向の両端部が倒伏状態に固定された倒伏部分６７、及び本体部分６６のうち前後の倒伏部分６７間に位置する非固定の起き上がり部分６８を有するギャザーシート６２と、起き上がり部分６８の少なくとも先端部に固定されたギャザー弾性部材６３とを有するものとなっている。ギャザーシート６２としては撥水性不織布を用いることができ、またギャザー弾性部材６３としては糸ゴム等を用いることができる。ギャザー弾性部材６３は、図１及び図３に示すように各複数本設ける他、各１本設けることができる。
【００５１】
ギャザーシート６２の内面は、トップシート３０の側部上に幅方向ＷＤの接合始端を有し、この接合始端から幅方向外側の部分は各サイドフラップ部ＳＦの内面、つまり図示例では液不透過性シート１１の側部及びその幅方向外側に位置する外装不織布１２の側部にホットメルト接着剤などにより接合されている。
【００５２】
脚周りにおいては、起き上がりギャザー６０の接合始端より幅方向内側は、製品前後方向両端部ではトップシート３０上に固定されているものの、その間の部分は非固定の自由部分であり、この自由部分が弾性部材６３の収縮力により立ち上がり、身体表面に密着するようになる。
【００５３】
（エンドフラップ部、サイドフラップ部）
図示例の連結式使い捨て着用物品は、吸収体５６の前側及び後側にそれぞれ延出する、吸収体５６を有しない一対のエンドフラップ部ＥＦと、吸収体５６の両方の側縁よりも側方にそれぞれ延出する、吸収体５６を有しない一対のサイドフラップ部ＳＦとを有している。サイドフラップ部ＳＦは、図示例のように、吸収体５６を有する部分から連続する素材（外装不織布１２等）からなるものであっても、他の素材を取り付けて形成してもよい。
【００５４】
（平面ギャザー）
各サイドフラップ部ＳＦには、糸ゴム等の細長状弾性部材からなるサイド弾性部材６４が前後方向ＬＤに沿って伸長された状態で固定されており、これにより各サイドフラップ部ＳＦの脚周り部分が平面ギャザーとして構成されている。脚周り弾性部材６４は、図示例のように、ギャザーシート６２の接合部分のうち接合始端近傍の幅方向外側において、ギャザーシート６２と液不透過性シート１１との間に設けるほか、サイドフラップ部ＳＦにおける液不透過性シート１１と外装不織布１２との間に設けることもできる。脚周り弾性部材６４は、図示例のように各側で複数本設ける他、各側に１本のみ設けることもできる。
【００５５】
平面ギャザーは、サイド弾性部材６４の収縮力が作用する部分（図中ではサイド弾性部材６４が図示された部分）である。よって、平面ギャザーの部位にのみサイド弾性部材６４が存在する形態の他、平面ギャザーよりも前側、後側又はその両側にわたりサイド弾性部材６４が存在しているが、平面ギャザーの部位以外ではサイド弾性部材が一か所又は多数個所で細かく切断されていたり、サイド弾性部材６４を挟むシートに固定されていなかったり、あるいはその両方であったりすることにより、平面ギャザー以外の部位に収縮力が作用せず（実質的には、弾性部材を設けないことに等しい）に、平面ギャザーの部位にのみサイド弾性部材６４の収縮力が作用する構造も含まれる。
【００５６】
（ウイング部分）
本連結式使い捨て着用物品では、背側部分Ｂは股間部Ｍよりも幅方向ＷＤ外側に延び出たウイング部分ＷＰを有している。同様に、腹側部分Ｆも股間部Ｍよりも幅方向ＷＤ外側に延び出たウイング部分ＷＰを有している。これらウイング部分ＷＰは、それ以外の部分と別の部材により形成することもできる。しかし、図示例のようにサイドフラップ部ＳＦを有する構造において、サイドフラップ部ＳＦの側部における前後方向ＬＤ中間を切断することにより、股間部Ｍの側縁からウイング部分の下縁７１までの凹状縁７０が形成され、その結果としてウイング部分ＷＰが形成されていると、製造が容易であるため好ましい。
【００５７】
（連結テープ）
図１、図２及び図６に示すように、背側部分Ｂにおけるウイング部分ＷＰには、腹側部分Ｆの外面に対して着脱可能に連結される連結テープ８０Ａ，８０Ｂがそれぞれ設けられている。おむつ１０の装着に際しては、連結テープ８０Ａ，８０Ｂを腰の両側から腹側部分Ｆの外面に回して、連結テープ８０Ａ，８０Ｂの連結部８３を腹側部分Ｆ外面の適所に連結する。
【００５８】
連結テープ８０Ａ，８０Ｂは、図６及び図９に示すように、ウイング部分ＷＰに固定された基端部８１、及びこの基端部８１から延び出た本体部８２をなすシート基材８０Ｓと、このシート基材８０Ｓにおける本体部８２の幅方向ＷＤの中間部に設けられた、腹側部分Ｆに対する連結部８３とを有している。本体部８２における、連結部８３より基端部８１側が腹側部分Ｆと連結されない非連結部８４となり、反対側が摘み部８５となっている。これら非連結部８４及び摘み部８５は、本体部８２をなすシート基材８０Ｓのみからなっている。基端部８１の側縁はウイング部分ＷＰの側縁に一致していてもよいし、図６に示すように、ウイング部分ＷＰの側縁から幅方向ＷＤの内方にわずかに離間していてもよい。この離間距離は１０〜５０ｍｍ程度とすることができる。連結部８３の幅方向内方の縁は、ウイング部分ＷＰの側縁に一致していてもよいが、図６に示すように、ウイング部分ＷＰの側縁から幅方向ＷＤの外方に十分に離間していることが好ましい。この離間距離は１〜１００ｍｍ程度とすることができる。
【００５９】
連結部８３としては、メカニカルファスナー（面ファスナー）のフック材（雄材）を設ける他、粘着剤層を設けてもよい。フック材は、その連結面に多数の係合突起を有するものであり、係合突起の形状としては、（Ａ）レ字状、（Ｂ）Ｊ字状、（Ｃ）マッシュルーム状、（Ｄ）Ｔ字状、（Ｅ）ダブルＪ字状（Ｊ字状のものを背合わせに結合した形状のもの）等が存在するが、いずれの形状であっても良い。
【００６０】
また、基端部８１から本体部８２までを形成するシート基材８０Ｓとしては、不織布、プラスチックフィルム、ポリラミ不織布、紙やこれらの複合素材を用いることができるが、繊度１．０〜３．５ｄｔｅｘ、目付け６０〜１００ｇ／ｍ2、厚み１ｍｍ以下のスパンボンド不織布、エアスルー不織布、又はスパンレース不織布が好ましい。
【００６１】
連結テープ８０Ａ，８０Ｂは、少なくとも非連結部８４の一部が幅方向ＷＤに伸縮するものであっても、全体が伸縮しないものであってもよい。
【００６２】
（ターゲット部）
腹側部分Ｆにおける連結テープ８０Ａ，８０Ｂの連結箇所には、ターゲット部２０が設けられている。ターゲット部２０は、図示例のように、連結を容易にするためのシート材を腹側部分Ｆの外面に貼り付けることにより設けることができる。
【００６３】
ターゲット部２０を形成するためのシート材は特に限定されるものではないが、連結部８３がフック材の場合、例えば間欠的なパターンの超音波溶着により部分的に繊維相互が溶着された長繊維不織布を用いることができる。
【００６４】
また、連結部８３がフック材の場合、ターゲット部２０を形成するためのシート材として、フック材の係合突起が絡まるようなループ糸がプラスチックフィルムや不織布からなる基材の表面に多数縫い出された複合的なシート材を用いることができる。
【００６５】
さらに、連結部８３がフック材であり、腹側部分Ｆにおける連結テープ８０Ａ，８０Ｂの連結箇所が不織布からなる場合（例えば図示例のように外装不織布１２を有する場合）には、ターゲット部２０を形成するためにシート材を付加せずに、外装不織布１２の適所をターゲット部２０とし、フック材を外装不織布１２の繊維に絡ませて連結することもできる。
【００６６】
一方、連結部８３が粘着材層の場合には、ターゲット部２０を形成するためのシート材として、粘着性に富むような表面が平滑なプラスチックフィルムからなるシート材の表面に剥離処理を施したものを用いることができる。
【００６７】
（伸縮シート）
背側部分Ｂにおける左右の連結テープ８０Ａ，８０Ｂの間には、幅方向ＷＤに弾性伸縮する伸縮シート１７が取り付けられ、伸縮シート１７を有する領域が幅方向ＷＤに弾性伸縮するものとなっていると好ましい。伸縮シート１７は、エンドフラップ部ＥＦにのみ位置していてもよいが、図示例のようにエンドフラップ部ＥＦから吸収体５６の後端部までにわたるように配置されていると、吸収体５６の後端部がしっかりと体に押し当てられるため、好ましい。
【００６８】
伸縮シート１７は、ゴムシート等のシート状弾性部材を用いても良いが、通気性を有することが好ましい。この場合、伸縮不織布のような通気性を有するシート状弾性部材を用いることもできるが、図５及び図７に示すように、二枚の不織布等の支持層１８をホットメルト接着剤等の接着剤により貼り合わせるとともに、両支持層１８間に有孔のシート状、網状、細長状（糸状又は紐状等）等の弾性部材１９を幅方向ＷＤに沿って伸長した状態で固定したものが好適に用いられる。この場合における支持層１８の素材としては、外装不織布１２と同様のものを用いることができる。弾性部材１９の伸長率は１５０〜２５０％程度であるのが好ましい。また、弾性部材１９として細長状（糸状又は紐状等）のものを用いる場合、太さ４２０〜１１２０ｄｔｅｘのものを３〜１０ｍｍの間隔１９ｄで５〜１５本程度設けるのが好ましい。
【００６９】
伸縮シート１７の幅は適宜定めることができるが、図示例のように、左右のサイドフラップ部ＳＦ間にわたる幅となっていることが好ましい。具体的な寸法としては、伸縮シート１７の幅は連結テープ８０Ａ，８０Ｂを除いた本体部分の全幅Ｘの８０〜９５％程度とすることが好ましい。
【００７０】
伸縮シート１７における幅方向ＷＤの両端部は、製造時に吸引により保持して取付けを行うために非伸縮領域１７ｎとなっていてもよい。非伸縮領域１７ｎの寸法、及びこれらの間に位置し、幅方向ＷＤに伸縮する中間伸縮領域１７ｅの寸法は適宜定めることができるが、中間伸縮領域１７ｅの幅は後述する左右の連結テープ８０Ａ，８０Ｂの連結部８３間の幅の４５〜９０％とすることが好ましく、非伸縮領域１７ｎの幅は製造時の縮みや捲れ防止のため５〜５０ｍｍ程度とすることが好ましい。非伸縮領域１７ｎは弾性部材１９を有しない領域としてもよいが、中間伸縮領域１７ｅ及び非伸縮領域１７ｎにわたり弾性部材１９を取り付けるとともに、非伸縮領域１７ｎでは弾性部材１９を切断する等により、非伸縮領域１７ｎに弾性部材１９が残留するもののほとんど又は全く伸縮しない構造としてもよい。
【００７１】
また、弾性部材１９の一部が吸収体５６を横断するように配置することもできるが、図７に示すように、弾性部材１９が吸収体５６と重なる部分の一部又は全部を切断する等により、弾性部材１９が残留するもののほとんど又は全く伸縮しない構造とすると、吸収体５６の後端部が幅方向に縮まないため、フィット性がさらに向上する。
【００７２】
伸縮シート１７は、図示例では、液不透過性シート１１と吸収要素５０との間に配置されているが、この配置に特に限定されるものではない。例えば、伸縮シート１７は液不透過性シート１１と外装不織布１２との間に配置されていてもよいし、外装不織布１２の外側に設けてもよい。
【００７３】
（分割ミシン目）
特徴的には、図９に拡大して示すように、ウイング部分ＷＰにおけるウエスト側（後側）の側部に設けられた第１連結テープ８０Ａと、ウイング部分ＷＰにおける脚周り側（前側）の側部に設けられた第２連結テープ８０Ｂとを備えている。そして、サイドフラップ部ＳＦは、ウイング部分ＷＰの側縁における、第１連結テープ８０Ａと第２連結テープ８０Ｂの間から、幅方向ＷＤ内方に向かって続く分割ミシン目９０と、分割ミシン目９０の幅方向ＷＤの内方端に隣接する指挿入孔９８とを有している。
【００７４】
本連結式使い捨て着用物品は、使用に際して、指挿入孔９８に指を挿入しその指を分割ミシン目９０側に移動させる、又はその指で分割ミシン目９０の脇を摘まんで、分割ミシン目９０を幅方向ＷＤの内方から外方に向けて順に切り離すことにより、図８に示すように、ウイング部分ＷＰの少なくとも一部を上下二段ＵＰ，ＬＰに分割することができる。そして、ウエスト側の第１連結テープ８０Ａを有する上段部分ＵＰを斜め下向きに引っ張りつつ連結することによりウエスト周りをしっかりと締め付けるとともに、脚周り側の第２連結テープ８０Ｂを有する下段部分ＬＰを斜め上向きに引っ張りつつ連結することにより脚周りをしっかりと締め付けることができる。特に、従来は分割されないウイング部分ＷＰが二段に分割されて、それぞれウエスト周り及び脚周りに合わせて独立的にフィットさせることができるため、従来のものよりも、しっかりフィットした装着状態が得られるものである。なお、第１連結テープ８０Ａ及び第２連結テープ８０Ｂの連結位置は使用者が適宜定めることができ、図８（ａ）に示すように、連結部８３の位置関係が上下逆転せず、連結部８３同士が重ならないようにしてもよいし、図８（ｂ）に示すように、連結部８３の位置関係が上下逆転し、連結部８３同士が重ならないようにしてもよいし、図示しないが、連結部８３同士が一部重なるようにしてもよい。また、必要に応じて分割ミシン目９０を切り離さずに使用することもできる。
【００７５】
しかも、本連結式使い捨て着用物品は、サイドフラップ部ＳＦに分割ミシン目９０を設けて上下二段に分割するものであるため、ウエスト側の第１連結テープ８０Ａを斜め下向きに、及び脚周り側の第２連結テープ８０Ｂを斜め上向きにそれぞれ連結したとしても、ウイング部分ＷＰに大きな皺が寄りにくく、見栄えが悪くなりにくいものである。
【００７６】
また、サイドフラップ部ＳＦに分割ミシン目９０を設け、この分割ミシン目９０を側縁側から切り離して上下二段に分割すると、分割ミシン目９０を内方端まで引き裂いたときに、分割ミシン目９０の内方端よりもさらに内方の部分までサイドフラップ部ＳＦを引き裂いてしまうおそれがある（以下、引き裂き過ぎともいう）。これに対して、上記のように指挿入孔９８に指を挿入して、幅方向ＷＤの内方から外方に分割ミシン目９０を切り離すと、引き裂き過ぎが発生することもない。さらに、指挿入孔９８は目立つ部分であるため、スリットのように指を挿入する箇所を迷ったり、指を入れにくくなったりするおそれが少ない利点も有する。
【００７７】
本連結式使い捨て着用物品では、サイドフラップ部ＳＦに分割ミシン目９０を形成するため、連結テープ８０Ａ，８０Ｂの幅方向ＷＤの寸法８０ｗを短く抑えることができる。例えば、連結テープ８０Ａ，８０Ｂの幅方向ＷＤの寸法８０ｗは、背側部分Ｂにおける連結テープ８０Ａ，８０Ｂを除く部分の幅方向ＷＤの寸法Ｘの１／７〜１／２倍とすることができる。この結果、本連結式使い捨て着用物品では、上下二段の連結テープ８０Ａ，８０Ｂによりしっかりフィットした装着状態が得られるものでありながら、連結テープ８０Ａ，８０Ｂの硬さが装着感に与える影響を小さくすることができる。連結テープ８０Ａ，８０Ｂの前後方向ＬＤの寸法は適宜定めることができるが、例えばウイング部分ＷＰの側縁の前後方向ＬＤの寸法の１／２未満とすることができる。
【００７８】
第１連結テープ８０Ａ及び第２連結テープ８０Ｂは、図示例のように同一の寸法・形状のものであっても、寸法及び形状の少なくとも一方が異なっていてもよい。第１連結テープ８０Ａ及び第２連結テープ８０Ｂは、ウイング部分ＷＰにおけるウエスト側又は脚周り側に偏って取り付けられていてもよいが、通常の場合、ウイング部分ＷＰの前後方向ＬＤ中央部よりウエスト側に第１連結テープ８０Ａが取り付けられ、ウイング部分ＷＰの前後方向ＬＤ中央部より脚周り側に第２連結テープ８０Ｂが取り付けられていることが好ましい。第１連結テープ８０Ａ及び第２連結テープ８０Ｂの間に分割ミシン目９０を形成するため、第１連結テープ８０Ａ及び第２連結テープ８０Ｂは前後方向ＬＤに十分な間隔、例えば１５ｍｍ以上の間隔を有していることが好ましいが、分割ミシン目９０を形成しうる限り隣接していてもよい。
【００７９】
分割ミシン目９０の縦方向の位置は、第１連結テープ８０Ａ及び第２連結テープ８０Ｂの間の前後方向ＬＤの中央に位置しているほか、第１連結テープ８０Ａ側に偏っていても、第２連結テープ８０Ｂ側に偏っていてもよい。通常の場合、分割ミシン目９０は、ウイング部分ＷＰの前後方向ＬＤの中央を基準として前後方向ＬＤに±５ｍｍの範囲内に位置していることが好ましい。
【００８０】
分割ミシン目９０の幅方向ＷＤの寸法は適宜定めることができるが、１５ｍｍ以上であることが好ましく、特に４０ｍｍ以上であることが好ましい。また、図６及び図９に示すように、分割ミシン目９０の内包端はトップシート３０の側縁及び液不透過性シート１１の側縁よりも側方に位置していることが好ましい。
【００８１】
分割ミシン目９０の本数は図示例のように１本とする他、複数本設けてもよい。この場合、図示しないが、各分割ミシン目９０に対応させて指挿入孔９８を設けることができる。
【００８２】
図１０に示すように、分割ミシン目９０における、幅方向ＷＤ中間よりも側方に位置する第１部分９１のタイ部９１ｔの幅を、第１部分９１よりも幅方向ＷＤ内方に位置する第２部分９２のタイ部９２ｔの幅よりも広くするのは一つの好ましい例である。なお、タイ部とは、隣接するカット部９１ｃ，９２ｃの間の非カット部の幅であり、隣接するカット部９１ｃ，９２ｃの間隔に等しいものである。このように分割ミシン目９０の引き裂き始めからある程度までの第２部分９２では引き裂きやすく、その後の第１部分９１では分割ミシン目９０を引き裂きにくくすると、分割ミシン目９０の切離しを開始しやすくなるため、ウイング部分ＷＰを上下二段に分割しやすいものとなる。また、分割ミシン目９０を切り離さずに使用した場合に、意図せずに分割ミシン目９０が切り離される事態が発生しにくいものとなる。
【００８３】
（指挿入孔）
指挿入孔９８は、分割ミシン目９０の幅方向ＷＤの内方端に隣接する位置から延びていればよい。分割ミシン目９０の幅方向ＷＤの内方端に隣接する位置とは、指挿入孔９８から分割ミシン目９０の切離しを開始できる程度に近い位置を意味する。通常の場合、指挿入孔９８とこれに隣接する分割ミシン目９０のカット部との間隔９８ｔが、分割ミシン目９０のタイ部の長さ９０ｔ以下であると、分割ミシン目９０の同様に、指挿入孔９８から分割ミシン目９０の切離しを開始することができる。
【００８４】
指挿入孔９８は、対象部分の打ち抜きにより形成されるものであり、展開状態で前後方向ＬＤの寸法９８ｙ及び幅方向ＷＤの寸法９８ｘの両方有し、面積を有するものである限り、その形状は特に限定されるものではない。指挿入孔９８は、例えば図１、図２、図９及び図１０に示すような円形とするほか、楕円形としたり、図１２に示すような三角形等の多角形としたり、雲形、星形等とすることができる。
【００８５】
特に、図１１に示す例や、図１２に示す例のように、指挿入孔９８における、少なくとも幅方向ＷＤ外方側に位置する部分の上縁ｅ１及び下縁ｅ２が、分割ミシン目９０の幅方向ＷＤの内方端に向かって延びていると、分割ミシン目９０へと向かう指の移動方向が分かりやすいため好ましい。また、分割ミシン目９０へと向かう指の移動に伴い、徐々に上縁ｅ１及び下縁ｅ２を押し広げ、分割ミシン目９０を引き裂く力が加わるため、分割ミシン目９０の引き裂き開始も円滑となる。なお、図１１に示す例の指挿入孔９８は、指を最初に挿入する円状の部分と、引き裂き方向を示す横向き三角形状の部分（幅方向外方に頂点を有し、幅方向内方に底辺を有する）とを合成した形状である。一方、図１２に示す例の指挿入孔９８は、全体として横向き三角形状（幅方向外方に頂点を有し、幅方向内方に底辺を有する）を有するものである。
【００８６】
指挿入孔９８の寸法は指の先端が挿入可能である限り、適宜定めることができるが、通常の場合、前後方向ＬＤの寸法９８ｙは８〜１８ｍｍであり、幅方向ＷＤの寸法９８ｘが８〜１８ｍｍであると、人差し指を挿入しやすく、かつ分割ミシン目９０を引き裂いた後に、指挿入孔９８の跡が大きくならないため好ましい。
【００８７】
（伸縮シートの延長）
指挿入孔９８を有すると、分割ミシン目９０を切り離して使用する際に、指挿入孔９８の縁から分割ミシン目９０に至る部分に形成される角部がひらひらと動いて、外観や装着感を悪化させるおそれがある。そこで、図９等に示すように、背側部分Ｂに設けられた前述の伸縮シート１７を、指挿入孔９８よりも側方まで延ばすことも提案する。このように伸縮シート１７を指挿入孔９８よりも側方まで伸ばし、指挿入孔９８を含む領域の剛性を高くすると、分割ミシン目の切離し後に、指挿入孔９８の縁から分割ミシン目９０に至る部分に形成される角部がひらひらと動きにくくなるため好ましい。また、この構造は、ウエスト周りのフィット性を向上させるための伸縮シート１７の有効利用という点でも好ましい。
【００８８】
伸縮シート１７と重なる部分は、自然長の状態では伸縮シート１７とともに収縮している。このため、伸縮シート１７の中間伸縮領域１７ｅが指挿入孔９８と重なる部分まで存在すると、伸縮シート１７の収縮に伴い指挿入孔９８の縁が収縮して捲れてしまうおそれがある。よって、図９等に示すように、伸縮シート１７の非伸縮領域１７ｎは、指挿入孔９８の幅方向ＷＤの内方端よりも側方まで延びていることが好ましい。これにより、伸縮シート１７の収縮に伴い指挿入孔９８の縁が収縮して見栄えが悪化する事態を防止することができる。
【００８９】
（不織布）
上記説明における不織布としては、部位や目的に応じて公知の不織布を適宜使用することができる。不織布の構成繊維としては、例えばポリエチレン又はポリプロピレン等のオレフィン系、ポリエステル系、ポリアミド系等の合成繊維（単成分繊維の他、芯鞘等の複合繊維も含む）の他、レーヨンやキュプラ等の再生繊維、綿等の天然繊維等、特に限定なく選択することができ、これらを混合して用いることもできる。不織布の柔軟性を高めるために、構成繊維を捲縮繊維とするのは好ましい。また、不織布の構成繊維は、親水性繊維（親水化剤により親水性となった疎水性繊維を含む）であっても、疎水性繊維若しくは撥水性繊維（撥水剤により撥水性となった撥水性繊維を含む）であってもよい。また、不織布は一般に繊維の長さや、シート形成方法、繊維結合方法、積層構造により、短繊維不織布、長繊維不織布、スパンボンド不織布、メルトブローン不織布、スパンレース不織布、サーマルボンド（エアスルー）不織布、ニードルパンチ不織布、ポイントボンド不織布、積層不織布（スパンボンド層間にメルトブローン層を挟んだＳＭＳ不織布、ＳＭＭＳ不織布等）等に分類されるが、これらのどの不織布も用いることができる。
【００９０】
＜明細書中の用語の説明＞
明細書中の以下の用語は、明細書中に特に記載が無い限り、以下の意味を有するものである。
・「前後方向」とは図中に符号ＬＤで示す方向（縦方向）を意味し、「幅方向」とは図中にＷＤで示す方向（左右方向）を意味し、前後方向と幅方向とは直交するものである。
【００９１】
・「展開状態」とは、収縮や弛み無く平坦に展開した状態を意味する。
【００９２】
・「伸長率」は、自然長を１００％としたときの値を意味する。例えば、伸長率が２００％とは、伸長倍率が２倍であることと同義である。
【００９３】
・「ゲル強度」は次のようにして測定されるものである。人工尿（尿素：２ｗｔ％、塩化ナトリウム：０．８ｗｔ％、塩化カルシウム二水和物：０．０３ｗｔ％、硫酸マグネシウム七水和物：０．０８ｗｔ％、及びイオン交換水：９７．０９ｗｔ％）４９．０ｇに、高吸収性ポリマーを１．０ｇ加え、スターラーで攪拌させる。生成したゲルを４０℃×６０％ＲＨの恒温恒湿槽内に３時間放置したあと常温にもどし、カードメーター（Ｉ．ｔｅｃｈｎｏ  Ｅｎｇｉｎｅｅｒｉｎｇ社製：Ｃｕｒｄｍｅｔｅｒ−ＭＡＸ  ＭＥ−５００）でゲル強度を測定する。
【００９４】
・「目付け」は次のようにして測定されるものである。試料又は試験片を予備乾燥した後、標準状態（試験場所は、温度２３±１℃、相対湿度５０±２％）の試験室又は装置内に放置し、恒量になった状態にする。予備乾燥は、試料又は試験片を温度１００℃の環境で恒量にすることをいう。なお、公定水分率が０．０％の繊維については、予備乾燥を行わなくてもよい。恒量になった状態の試験片から、試料採取用の型板(１００ｍｍ×１００ｍｍ)を使用し、１００ｍｍ×１００ｍｍの寸法の試料を切り取る。試料の重量を測定し、１００倍して１平米あたりの重さを算出し、目付けとする。
【００９５】
・「厚み」は、自動厚み測定器（ＫＥＳ−Ｇ５  ハンディー圧縮試験機）を用い、荷重：０．０９８Ｎ／ｃｍ2、及び加圧面積：２ｃｍ2の条件下で自動測定する。
【００９６】
・「吸水量」は、ＪＩＳ  Ｋ７２２３−１９９６「高吸水性樹脂の吸水量試験方法」によって測定する。
【００９７】
・「吸水速度」は、２ｇの高吸収性ポリマー及び５０ｇの生理食塩水を使用して、ＪＩＳ  Ｋ７２２４‐１９９６「高吸水性樹脂の吸水速度試験法」を行ったときの「終点までの時間」とする。
【００９８】
・試験や測定における環境条件についての記載が無い場合、その試験や測定は、標準状態（試験場所は、温度２３±１℃、相対湿度５０±２％）の試験室又は装置内で行うものとする。
【００９９】
・各部の寸法は、特に記載が無い限り、自然長状態ではなく展開状態における寸法を意味する。
【産業上の利用可能性】
【０１００】
本発明は、上記例のような連結式使い捨て着用物品に適用できるものである。
【符号の説明】
【０１０１】
１１…液不透過性シート、１２…外装不織布、１７…伸縮シート、８０Ａ，８０Ｂ…連結テープ、８３…連結部、８２…本体部、８１…基端部、２０…ターゲット部、３０…トップシート、４０…中間シート、５０…吸収要素、５６…吸収体、５８…包装シート、６０…起き上がりギャザー、６２…ギャザーシート、６４…サイド弾性部材、７０…凹状縁、７１…ウイング部分の下縁、Ｂ…背側部分、Ｆ…腹側部分、ＬＤ…前後方向、Ｍ…股間部、ＳＦ…サイドフラップ部、ＷＤ…幅方向、ＷＰ…ウイング部分、８０Ａ…第１連結テープ、８０Ｂ…第２連結テープ、９０…分割ミシン目、９１…第１部分、９２…第２部分、９８…指挿入孔。
【図１】
2020048819.tif 000003
【図２】
2020048819.tif 000004
【図３】
2020048819.tif 000005
【図４】
2020048819.tif 000006
【図５】
2020048819.tif 000007
【図６】
2020048819.tif 000008
【図７】
2020048819.tif 000009
【図８】
2020048819.tif 000010
【図９】
2020048819.tif 000011
【図１０】
2020048819.tif 000012
【図１１】
2020048819.tif 000013
【図１２】
2020048819.tif 000014